(57)【要約】【課題】表組織と裏組織とを部分的に接結して一体化する接結二重織により織成した織布を用いて縫製される縫製品において、表組織及び裏組織に別途処理を施すことなく保温材料の吹き出しを防止可能な縫製品及びその縫製方法を提供する。【解決手段】表組織２１と裏組織２２とを部分的に接結して一体化する接結二重織により織成した織布２０を用いて縫製される衣服１０であって、織布２０が、表組織２１と裏組織２２とが接結される複数の接結部分２７が互いに平行に所定の間隔で形成され、接結部分２７間であって表組織２１と裏組織２２との間に形成される内部空間Ｎに、織布２０とは別に袋状に縫製されたダウンパック４０であってその内部に保温材料３０を充填し縫製したものが挿入されているものである。【選択図】図３
2017150093.tif 000002
【特許請求の範囲】
【請求項１】
表組織と裏組織とを部分的に接結して一体化する接結二重織により織成した織布を用いて縫製される縫製品であって、
前記織布は、
前記表組織と前記裏組織とが接結される複数の接結部分が互いに平行に所定の間隔で形成され、
前記接結部分間であって前記表組織と前記裏組織との間に形成される内部空間に、前記織布とは別に袋状に縫製された中袋地であってその内部に保温材料を充填し縫製したものが挿入されていること
を特徴とする縫製品。
【請求項２】
前記織布は、伸縮性を有する表組織及び裏組織により構成されること
を特徴とする請求項１に記載の縫製品。
【請求項３】
前記織布は、前記接結部分間の間隔を徐々に変化させて織成されること
を特徴とする請求項２に記載の縫製品。
【請求項４】
表組織と裏組織とを部分的に接結して一体化する接結二重織により織成した織布を用いて縫製される縫製品の縫製方法であって、
前記表組織と前記裏組織との接結部分のそれぞれが平行に所定の間隔で形成されるように、前記表組織と前記裏組織とを接結し、
前記接結部分と交差する方向に前記織布を裁断し、
裁断された前記接結部分間であって前記表組織と前記裏組織との間に形成される内部空間に、前記織布とは別に袋状に縫製された中袋地であってその内部に保温材料を充填し縫製したものを挿入すること
を特徴とする縫製品の縫製方法。
【発明の詳細な説明】
【技術分野】
【０００１】
本発明は、ダウン、綿等の保温部材を織布内に充填して縫製される縫製品及びその縫製方法に関するものである。
【背景技術】
【０００２】
従来、ダウンジャケット、布団、寝袋等の縫製品は、表地と裏地との間にダウン、綿等の保温材料を充填した後、表地と裏地とを保温材料を挟んで縫い合わせることにより縫製される。これにより、断熱効果の高い空気層を効率的に形成して当該縫製品における保温効果を高めている。
【０００３】
この種の縫製品は、表地と裏地とを保温材料を挟んで縫い合わせて縫製することから、縫い合わせた縫い目から保温材料が吹き出し易くなる。そのため、保温材料の吹き出しを防止するために、表地と保温材料との間及び裏地と保温材料との間に中袋地（ダウンパック）を設け、その中袋地間に保温材料を挟んだ状態で縫製する場合がある（特許文献１参照）。しかしながら、この場合においても、表地及び裏地と、中袋地と、を縫い合わせるため、縫い合わせた縫い目から保温材料が吹き出し易くなる。そこで、特許文献２に示すような保温材料の吹き出しを防止する構造が提案されている。
【０００４】
特許文献２の縫製品は、表地（表組織）と裏地（裏組織）の全面にわたって多数の皺を形成するとともに、表地と裏地の各内面における前記皺の頂部を連ねるように複数本の邪魔糸を掛け渡し、かつ、表地と裏地の間に羽毛を充填するための複数のポケット空間を形成するように両生地を製織時に接結したものである。特許文献２の縫製品においては、表地と裏地とに皺及び邪魔糸を設けて羽毛を生地に刺さり難くすることで、羽毛の吹き出し防止効果を長時間にわたって維持している。
【先行技術文献】
【特許文献】
【０００５】
【特許文献１】特開２００５−６８５７１号公報
【特許文献２】特開２０１２−１０７６４号公報
【発明の概要】
【発明が解決しようとする課題】
【０００６】
しかしながら、特許文献２に記載する縫製品は、保温材料の吹き出しを防止するために、表組織及び裏組織に、皺と、邪魔糸と、を別途設ける必要があるため縫製が複雑になるという問題があった。
【０００７】
そこで、本発明は、表組織と裏組織とを部分的に接結して一体化する接結二重織により織成した織布を用いて縫製される縫製品において、表組織及び裏組織に別途処理を施すことなく保温材料の吹き出しを防止可能な縫製品及びその縫製方法を提供することを目的とする。
【課題を解決するための手段】
【０００８】
本発明の解決しようとする課題は以上であり、次にこの課題を解決するための手段を説明する。
【０００９】
即ち、本発明の縫製品は、表組織と裏組織とを部分的に接結して一体化する接結二重織により織成した織布を用いて縫製される縫製品であって、前記織布は、前記表組織と前記裏組織とが接結される複数の接結部分が互いに平行に所定の間隔で形成され、前記接結部分間であって前記表組織と前記裏組織との間に形成される内部空間に、前記織布とは別に袋状に縫製された中袋地であってその内部に保温材料を充填し縫製したものが挿入されているものである。
【００１０】
上記構成では、織布とは別に袋状に縫製された中袋地の内部に保温材料を充填し縫製したものを、織布の表組織と裏組織との間に形成される内部空間に挿入する。
【００１１】
また、本発明の縫製品は、前記織布が、伸縮性を有する表組織及び裏組織により構成されるものである。
【００１２】
上記構成では、中袋地の内部に保温材料を充填し縫製したものを織布の内部空間に挿入した状態であっても、織布自体は伸縮可能である。
【００１３】
さらに、本発明の縫製品は、前記織布が、前記接結部分間の間隔を徐々に変化させて織成されるものである。
【００１４】
さらに、本発明の縫製品の縫製方法は、表組織と裏組織とを部分的に接結して一体化する接結二重織により織成した織布を用いて縫製される縫製品の縫製方法であって、前記表組織と前記裏組織との接結部分のそれぞれが平行に所定の間隔で形成されるように、前記表組織と前記裏組織とを接結し、前記接結部分と交差する方向に前記織布を裁断し、裁断された前記接結部分間であって前記表組織と前記裏組織との間に形成される内部空間に、前記織布とは別に袋状に縫製された中袋地であってその内部に保温材料を充填し縫製したものを挿入する方法である。
【００１５】
上記方法では、織布とは別に袋状に縫製された中袋地の内部に保温材料を充填し縫製したものを、織布の表組織と裏組織との間に形成される内部空間に挿入する。
【発明の効果】
【００１６】
本発明の縫製品及び縫製方法によれば、織布とは別に袋状に縫製された中袋地の内部に保温材料を充填し縫製したものを、織布の表組織と裏組織との間に形成される内部空間に挿入することから、保温材料が直接織布の表組織或いは裏組織に接触することがない。また、保温材料を充填した中袋地を織布の内部空間内に挿入するに際し、表組織及び裏組織と、中袋地と、を直接縫い合わせないため、織布上に、表組織及び裏組織と、中袋地との縫い目が存在しない。そのため、織布の表組織及び裏組織に別途処理を施すことなく、織布（中袋地）からの保温材料の吹き出しを防止することができる。
【図面の簡単な説明】
【００１７】
【図１】本発明の実施の形態に係る衣服の正面図である。
【図２】本発明の実施の形態に係る衣服を構成する織布を示す拡大断面組織図である。
【図３】本発明の実施の形態に係る衣服を構成する織布を示す拡大断面模式図である。
【発明を実施するための形態】
【００１８】
以下、本発明の実施の形態に係る縫製品を図面に基づき説明する。
図１に示すように、本発明の縫製品に係る衣服１０は、例えば、袖の無いダウンベストである。なお、衣服１０は、袖の無い衣服に限定されるものではなく、長袖或いは半袖の衣服であっても構わない。衣服１０は、その身頃（体の前面、背面を覆う部分）が織布２０により縫製されている。
【００１９】
図２及び図３に示すように、織布２０は、１枚の布地で構成され、表組織２１と裏組織２２とを部分的に接結して一体化する接結二重織（風通織）により織成される。表組織２１は、織布２０を衣服１０に縫製した際に、衣服１０の外側に位置する部分を意味し、裏組織２２は、織布２０を衣服１０に縫製した際に、衣服１０の着用者側に位置する部分を意味する。
【００２０】
織布２０は、経糸２３、２４と、緯糸２５、２６と、を交錯させ、接結二重織（風通織）により織成される。織布２０を形成する経糸２３、２４としては、ウーリー糸、加工糸、その他天然繊維からなる糸などが用いられ、織布２０を形成する緯糸２５、２６としては、特殊な撚りをかけて伸縮性を高めたストレッチ加工糸が用いられる。緯糸２５、２６をストレッチ加工糸とすることで、伸縮性を有する表組織２１及び裏組織２２が形成され、織布２０に伸縮性を持たせることができる。織布２０は、経糸２３、２４及び緯糸２５、２６を仮撚りし、伸びた状態で織った後、所定の温度で熱セットすることにより織成される。なお、本実施の形態においては、緯糸２５、２６をストレッチ加工糸とすることで、織布２０を、伸縮性を有する表組織２１及び裏組織２２により構成しているが、これに限定されるものではなく、緯糸２５、２６を未加工糸又はその他天然繊維からなる糸などとすることで、織布２０を、伸縮性を有さない表組織２１及び裏組織２２により構成しても構わない。
【００２１】
織布２０は、表経糸２３及び表緯糸２５と、裏経糸２４及び裏緯糸２６と、を所定の位置で表裏反転させながら織成される。具体的に、図２に示すように、表経糸２３と裏経糸２４とを所定の位置で交錯させながら織成される。織布２０においては、表経糸２３と裏経糸２４とを所定の位置で交錯されることで、表組織２１と裏組織２２とが所定の位置で接結される。すなわち、表経糸２３と裏経糸２４とが交錯される位置に、表組織２１と裏組織２２とが接結される接結部分２７が形成される。
【００２２】
織布２０の接結部分２７は、織布２０上に複数形成され、それぞれが平行に所定の間隔Ｌ（図１及び図３）で形成される。接結部分２７は、その間隔Ｌが衣服１０の大きさ、形状、部位（例えば、胸部、腰部）等によって設定される。また、接結部分２７は、その間隔Ｌを衣服１０の部位に従って徐々に変化させることが可能であり、例えば、接結部分２７の間隔Ｌを衣服１０の胸部から腰部に向けて徐々に狭くすることができる。
【００２３】
また、接結部分２７は、その範囲（幅Ｋ）が衣服１０の大きさ、形状、部位（例えば、胸部、腰部）等によって設定される。接結部分２７の範囲（幅Ｋ）を狭く（細く）することで、織布２０をより偏平状に織成することができ、接結部分２７の範囲（幅Ｋ）を広く（太く）することで、素材の安定性、衣服１０の耐久性を高めることができる。接結部分２７の範囲（幅Ｋ）は、表経糸２３と裏経糸２４とを繰り返し交錯させながら、接結部分２７を繰り返し形成することで調整される。
【００２４】
図２及び図３に示すように、接結部分２７間であって、表組織２１と裏組織２２との間には、袋状の内部空間Ｎが形成される。すなわち、織布２０においては、複数の布地を重ね合わせて袋状の内部空間Ｎが形成されているわけではなく、表組織２１と裏組織２２からなる１枚の織布２０（布地）から袋状の内部空間Ｎが形成される。また、織布２０においては、複数の内部空間Ｎが格子状に形成され、内部空間Ｎの周縁、すなわち、接結部分２７が、衣服１０におけるキルティングのための仕切りとなる。また、接結部分２７を交差するように織布２０を裁断することにより、接結部分２７間の裁断部分に、内部空間Ｎに連通する開口部分が形成される。
【００２５】
図３に示すように、衣服１０においては、織布２０の内部空間Ｎに保温材料３０が充填される。保温材料３０としては、例えば、ダウン、綿等が挙げられる。保温材料３０は、織布２０を裁断した際に形成される接結部分２７間の開口部分から内部空間Ｎに充填される。また、保温材料３０は、ダウンパック４０（中袋地）内に充填された状態で内部空間Ｎに充填される。
【００２６】
保温材料３０を充填するダウンパック４０は、織布２０とは別の布地によって、袋状に縫製される。すなわち、衣服１０においては、表組織２１及び裏組織２２を構成する織布２０と、中袋地を構成するダウンパック４０と、が縫い合わされることなく、別々に縫製される。また、ダウンパック４０は、充填する保温材料３０の吹き出しを防止するために、密度の込んだ通気量の少ない布地により縫製される。さらに、ダウンパック４０は、その幅及び長さが、織布２０の内部空間Ｎの大きさ（接結部分２７間の間隔）に合わせて設定される。
【００２７】
ダウンパック４０は、その袋状の開口部分から保温材料３０が充填される。そして、ダウンパック４０は、保温材料３０が充填された後にその開口部分を縫うことで、内部の保温材料３０が吹き出さないように構成されている。このように、衣服１０においては、保温材料３０を袋状のダウンパック４０に充填することで、織布２０の表組織２１及び裏組織２２に接触することなく、織布２０の内部空間Ｎに充填される。
【００２８】
次に、衣服１０の縫製方法について説明する。
衣服１０を縫製するに際しては、まず、衣服１０を構成する織布２０を接結二重織（風通織）により織成する。具体的には、トビー織機或いはジャカード織機等の織機によって、経糸２３、２４及び緯糸２５、２６を、表組織２１及び裏組織２２の上下二重の組織に織る。この時、表組織２１と裏組織２２との接結部分２７を、それぞれ平行に所定の間隔Ｌで形成する。
【００２９】
続いて、上記のように織成された織布２０を、衣服１０の型に合わせて所定の形状に裁断する。この時、平行する接結部分２７間であって、織布２０上の接結部分２７に対して交差する方向に裁断した部分に、内部空間Ｎへ連通する開口部分が形成される。
【００３０】
続いて、保温材料３０を内部に充填して縫製したダウンパック４０を上記開口部分から内部空間Ｎへ挿入する。そして、ダウンパック４０と、織布２０と、を縫うことなく織布２０の上記開口部分を縫い、ダウンパック４０を内部空間Ｎ内に封入する。ダウンパック４０を内部空間Ｎ内に封入後、衣服１０を所定の形状に縫製する。
【００３１】
以上のように、衣服１０においては、織布２０とは別に袋状に縫製されたダウンパック４０の内部に保温材料３０を充填し縫製したものを、織布２０の表組織２１と裏組織２２との間に形成される内部空間Ｎに挿入することから、保温材料３０が直接織布２０の表組織２１或いは裏組織２２に接触することがない。また、保温材料３０を充填したダウンパック４０を織布２０の内部空間Ｎ内に挿入するに際し、表組織２１及び裏組織２２と、ダウンパック４０と、を直接縫い合わせないため、織布２０上に、表組織２１及び裏組織２２と、ダウンパック４０との縫い目が存在しない。そのため、織布２０の表組織２１及び裏組織２２に別途処理を施すことなく、織布２０（ダウンパック４０）からの保温材料３０の吹き出しを防止することができる。
【００３２】
また、衣服１０においては、表組織２１及び裏組織２２と、ダウンパック４０と、を直接縫い合わせる必要がないため、保温材料３０を保持するダウンパック４０が、伸縮性を有する織布２０内で分離された状態となる。そのため、衣服１０においては、保温材料３０の吹き出しを防止ししつつ、衣服１０全体を伸縮可能に構成することができる。また、織布２０を、伸縮性を有する表組織２１及び裏組織２２により構成することで、織布２０の接結部分２７における波打ち現象を防止することができる。
【００３３】
さらに、衣服１０においては、接結部分２７間の間隔Ｌを徐々に変化させて形成することができるため、衣服１０の幅を視覚的に変化させることができる。（例えば、胸部から腰部にしたがって、その幅を視覚的に細く見せることができる）。
【００３４】
さらにまた、衣服１０においては、織布２０の内部空間Ｎを、複数の布地を重ねて構成するのではなく、１枚の生地により構成することから、布地を貼り合わせる等の工程が不要となる。
【００３５】
なお、本実施の形態においては、衣服１０を織布２０のみで構成しているが、これに限定されるものではなく、織布２０の内部空間Ｎ（表組織２１及び裏組織２２）が１枚の布地で構成されていれば、例えば、織布２０に別途裏地を貼り合わせたもので衣服１０を構成しても構わない。
【００３６】
また、本実施の形態においては、衣服１０の身頃を織布２０により構成しているが、これに限定されるものではなく、衣服１０の前面又は背面のみ、或いは衣服１０の全てを織布２０により構成しても構わない。
【００３７】
さらに、本発明の形態においては、縫製品を衣服１０としているが、これに限定されるものではなく、内部に保温材料３０を充填する縫製品であれば、例えば、布団、寝袋等の縫製品であっても構わない。本発明を布団、寝袋等に用いる場合には、例えば、布団カバー（寝袋カバー）を上記織布２０で形成し、織布２０で形成した布団カバー（寝袋カバー）の内部空間Ｎに、保温材料３０を充填したダウンパック４０を挿入する。
【符号の説明】
【００３８】
１０              衣服
２０              織布
２１              表組織
２２              裏組織
２７              接結部分
３０              保温材料
４０              ダウンパック（中袋地）
Ｌ                接結部分間の間隔
Ｎ                内部空間
【図１】
2017150093.tif 000003
【図２】
2017150093.tif 000004
【図３】
2017150093.tif 000005